(57)【要約】【課題】下衣部がはだけるようなことがなく、下衣部を簡単容易に装着できるようにした二部式浴衣を提供する。【解決手段】二部式浴衣１は、上衣部１Ａと、筒状に形成され、その下部側に、歩き易くするための切り開き部１５が縦方向に所要長さにわたって設けられた下衣部１Ｂとからなるもので、上衣部１Ａをはおり、その衿５を前で交差させて腰ひもを締めることにより、上衣部１Ａを着用者の上半身に装着し、筒状の下衣部１Ｂをはいて、この下衣部１Ｂの中に上衣部１Ａの下部側を入れた状態で、下衣部１Ｂの上端部を覆い隠すように帯３を巻き付けてなる。【選択図】図１
0003171074.tif 000002
【実用新案登録請求の範囲】
【請求項１】
上衣部と、筒状に形成され、その下部側に、歩き易くするための切り開き部が縦方向に所要長さにわたって設けられた下衣部とからなるもので、上衣部をはおり、その衿を前で交差させて腰ひもを締めることにより、上衣部を着用者の上半身に装着し、筒状の下衣部をはいて、この下衣部の中に上衣部の下部側を入れた状態で、下衣部の上端部を覆い隠すように帯を巻き付けてなる二部式浴衣。
【請求項２】
下衣部には、前記下部側の切り開き部と対応する上部側に、下衣部を着脱し易くするための切り開き部が縦方向に所要長さにわたって設けられ、この上部側切り開き部は連結具によって閉止可能となっている請求項１に記載の二部式浴衣。
【請求項３】
下衣部は、矩形状本体の左右両端部を所要幅だけ重ね合わせるようにして、表側合わせ部の先端縁部を、その上部側と下部側とを所要長さずつ残して裏側合わせ部に縫い付けることによって、全体を筒状に形成すると共に、その縫着部の上下両側に上部側切り開き部と下部側切り開き部とを形成し、表側合わせ部及び裏側合わせ部の上辺部どうしを連結具を介して着け離し可能としてなる請求項２に記載の二部式浴衣。
【請求項４】
前記連結具はスナップボタンからなる請求項２又は３に記載の二部式浴衣。
【請求項５】
前記矩形状本体の上辺部を袋状に形成して表側合わせ部及び裏側合わせ部の上辺部を除く袋状部にゴム紐を挿通することにより、下衣部のウエスト部を伸縮可能としてなる請求項１〜４の何れかに記載の二部式浴衣。
【考案の詳細な説明】
【技術分野】
【０００１】
本考案は、上衣部と下衣部とからなる二部式浴衣に関するものである。
【背景技術】
【０００２】
上衣部と下衣部とからなる二部式浴衣は従来より知られている。例えば下記特許文献１に記載されている二部式浴衣では、下衣部は、着用者の下半身に腰巻き状に巻き付けて、その両端部側縁どうしを連結用ゴム紐で連結することによって、下衣部の下半部がはだけないようにしている。
【先行技術文献】
【特許文献】
【０００３】
【特許文献１】特開２００５−２３２６１１
【考案の概要】
【考案が解決しようとする課題】
【０００４】
上記特許文献１に記載の二部式浴衣では、着用者の下半身に腰巻き状に巻き付けた下衣部の両端部側縁どうしをゴム紐で連結するようにしているから、ゴム紐が新しいうちは、下半部がはだけるのを防止できるが、使用しているうちにゴムが劣化し、また浴衣を洗濯すればゴムが伸びてしまって、連結機能が喪失し、はだけを防止できなくなる、という問題があり、また腰巻き状に巻き付ける下衣部であれば、下衣部両端部の裾線をいちいち揃えなければならないため、装着が面倒となる。
【０００５】
本考案は、上記の課題に鑑みて、下衣部がはだけるようなことがなく、しかも下衣部を簡単容易に装着できるようにした二部式浴衣を提供することを目的とする。
【課題を解決するための手段】
【０００６】
上記課題を解決するための手段を、後述する実施形態の参照番号を付して説明すると、請求項１に係る二部式浴衣１は、上衣部１Ａと、筒状に形成され、その下部側に、歩き易くするための切り開き部１５が縦方向に所要長さにわたって設けられた下衣部１Ｂとからなるもので、上衣部１Ａをはおり、その衿５を前で交差させて腰ひもを締めることにより、上衣部１Ａを着用者の上半身に装着し、筒状の下衣部１Ｂをはいて、この下衣部１Ｂの中に上衣部１Ａの下部側を入れた状態で、下衣部１Ｂの上端部を覆い隠すように帯３を巻き付けてなることを特徴とする。
【０００７】
請求項２は、請求項１に記載の二部式浴衣において、下衣部１Ｂには、前記下部側の切り開き部１５と対応する上部側に、下衣部１Ｂを着脱し易くするための切り開き部１４が縦方向に所要長さにわたって設けられ、この上部側切り開き部１４は連結具１１によって閉止可能となっていることを特徴とする。
【０００８】
請求項３は、請求項２に記載の二部式浴衣において、下衣部１Ｂは、矩形状本体８の左右両端部を所要幅Ｗだけ重ね合わせるようにして、表側合わせ部８ａの先端縁部を、その上部側と下部側とを所要長さずつ残して裏側合わせ部８ｂに縫い付けることによって、全体を筒状に形成すると共に、その縫着部９の上下両側に上部側切り開き部１４と下部側切り開き部１５とを形成し、表側合わせ部８ａ及び裏側合わせ部８ｂの上辺部どうしを連結具１１を介して着け離し可能としてなることを特徴とする。
【０００９】
請求項４は、請求項２又は３に記載の二部式浴衣において、前記連結具１１はスナップボタン１２からなることを特徴とする。
【００１０】
請求項５は、請求項１〜４の何れかに記載の二部式浴衣において、前記矩形状本体８の上辺部を袋状に形成して表側合わせ部８ａ及び表側合わせ部８ａの夫々上辺部を除く袋状部８ｃにゴム紐１０を挿通することにより、下衣部１Ｂのウエスト部７を伸縮可能としてなることを特徴とする。
【考案の効果】
【００１１】
上記解決手段による考案の効果を、後述する実施形態の参照番号を付して説明すると、請求項１に係る考案によれば、下衣部１Ｂが筒状に形成されているから、ゴム紐等の連結手段がなくても、はだけを防止することができ、長期にわたり有効に使用できる。また、着用者の腰回りに巻き付ける従来の腰巻き状下衣部のように両端部の裾線を揃える必要がなく、スカートのように下衣部１Ｂをそのままはけばよいから、装着が容易となる。
【００１２】
請求項２に係る考案によれば、下衣部１Ｂには下部側切り開き部１５と対応する上部側に、着脱し易くするための切り開き部１４が縦方向に所要長さにわたって設けられ、この上部側切り開き部１４は連結具１１によって閉止可能であるから、この上部側切り開き部１４を開放することにより、下衣部１Ｂの着脱が一層容易となる。
【００１３】
請求項３に係る考案によれば、下衣部１Ｂの製作にあたり、矩形状本体８の左右両端部を所要幅Ｗだけ重ね合わせるようにして、表側合わせ部８ａの先端縁部を、その上部側と下部側とを所要長さずつ残して裏側合わせ部８ｂに縫い付けることによって、全体を筒状に形成したもので、着用した時に、表側合わせ部８ａの先端縁１６が、一般的な和服の上前（うわまえ）と同じように下衣部１Ｂの丈全長に亘ってはっきりとした線状に現われるから、上衣部１Ａの衿５の外側線１７と合わせることにより、あたかもワンピースタイプの普通の浴衣を着ているように見せることができ、また下部側切り開き部１５が開いて、図１に示すように、表側合わせ部８ａの下部側が外開き状態になっても、その内側に裏側合わせ部８ｂの下部側が介入するから、着用者の足元部分を隠すことができる。また、表側合わせ部８ａ及び裏側合わせ部８ｂの上辺部どうしを、連結具１１によって、確実に着け離しすることができる。
【００１４】
請求項４に係る考案によれば、連結具１１がスナップボタン１２からなるため、下衣部１Ｂを洗濯しても、擦り切れるようなことがなく、長期に亘り有効に使用できる。
【００１５】
請求項５に係る考案によれば、矩形状本体８の上辺部を袋状に形成して表側合わせ部８ａ及び表側合わせ部８ａの夫々上辺部を除く袋状部８ｃにゴム紐１０を挿通することにより、下衣部１Ｂのウエスト部７を伸縮可能としているから、伸縮性の良好なウエスト部７を形成することができる。
【図面の簡単な説明】
【００１６】
【図１】本考案に係る二部式浴衣の構成部材を示す斜視図である。
【図２】上衣部を着用した状態を示す正面図である。
【図３】図２に引き続いて下衣部を着用した状態の正面図である。
【図４】図３に引き続き、最終的に帯を巻き付けた状態の正面図である。
【図５】図４に示す状態の背面図である。
【図６】下衣部の丈を調整するために下衣部を所要長さ引き上げた後、その引き上げた部分を下方へ折り返した状態を示す正面図である。
【図７】下衣部のウエスト部を平面上に展開した状態の拡大図である。
【考案を実施するための形態】
【００１７】
以下に本考案の好適な実施形態について図面を参照しながら説明すると、先ず図１には本考案に係る二部式浴衣１の構成部材を個別に示し、図２〜図４には浴衣１の着付け手順を示している。この二部式浴衣１は、上衣部１Ａと、ウエスト部７を伸縮可能としたスカート状の下衣部１Ｂとからなるもので、その着付けにあたって、腰ひも２と帯３とを使用する。
【００１８】
上衣部１Ａは、図１から分かるように、身頃４に衿５と左右袖６，６を設けてなるものである。下衣部１Ｂは、図１に示すように、筒状に形成されたもので、その製作にあたって、矩形状本体８の左右両端部を夫々所要幅Ｗだけ重ね合わせるようにして、表側合わせ部８ａの先端縁部を、その上部側と下部側とを所要長さずつ残して裏側合わせ部８ｂに縫い付ける（その縫着部を９で示す）ことによって、筒状に形成すると共に、その縫着部９の上下両側に上部側切り開き部１４と下部側切り開き部１５とを形成し、また図７から分かるように前記矩形状本体８の上辺部を袋状に形成して、表側合わせ部８ａ及び裏側合わせ部８ｂの夫々上辺部を除く袋状部８ｃにゴム紐１０を挿通することによって、ウエスト部７を伸縮可能とし、更に表側合わせ部８ａ及び裏側合わせ部８ｂの上辺部どうしを連結具１１を介して着け離し可能としてなるものである。
【００１９】
上部側切り開き部１４は、下衣部１Ｂを着脱し易くするための切り開き部であり、下部側切り開き部１５は着用時に歩き易くするための切り開き部である。そして、この場合、図３に示すように、下衣部１Ｂの丈Ｌを例えば９０ｃｍとすれば、上部側の切り開き部１４の長さＬａは２５ｃｍ程度とされ、下部側切り開き部１５の長さＬｂは２０ｃｍ程度とされ、従って上部側切り開き部１４と下部側切り開き部１５との間の縫着部９の長さＬｏは４５ｃｍとされる。丈Ｌが９０ｃｍの下衣部１Ｂをはいた時に、下部側切り開き部１５の長さＬｂが２０ｃｍ程度であれば、十分歩き易くなる。
【００２０】
連結具１１は、図１、詳しくは図７に示すように、複数のスナップボタン１２，１２からなり、各スナップボタン１２は、凸ボタン１２ａと凹ボタン１２ｂとからなるもので、矩形状本体８における表側合わせ部８ａの上辺部裏面の両端部に、凸ボタン１２ａを取り付け、裏側合わせ部８ｂの上辺部表面の両端部に凹ボタン１２ｂを取り付け、凸ボタン１２ａに凹ボタン１２ｂを押し込むことにより、表側合わせ部８ａ及び裏側合わせ部８ｂの上辺部どうしを連結して、上部側切り開き部１４を閉止することができ、これら凹凸ボタン１２ａ，１２ｂを引き離すことによって、図１に示すように、上部側切り開き部１４を開放することができる。
【００２１】
下衣部１Ｂの下部側切り開き部１５は、常に開放状態となっているが、矩形状本体８の表側合わせ部８ａの下部側と裏側合わせ部８ｂの下部側との間に形成されるものであるから、図１に示すように、表側合わせ部８ａの下部側が外開き状態になっても、その内側に裏側合わせ部８ｂの下部側が介入しているから、着用者の足元部分を隠すことができる。また上部側切り開き部１４は、連結具１１を介して、表側合わせ部８ａ及び裏側合わせ部８ｂの上辺部どうしを確実に着け離しすることができる。この場合、連結具１１はスナップボタン１２からなるため、下衣部１Ｂを洗濯しても、擦り切れるようなことがなく、長期に亘り有効に使用できる。
【００２２】
上記のような構成よりなる二部式浴衣１の着付け手順を説明すると、着用者は、図示は省略するが、浴衣スリップ等の下着を着けた状態で上衣部１Ａをはおり、図２に示すように、衿５を前で交差させて、腰ひも２を腰部に巻き付け締結することにより、上衣部１Ａを着用者の上半身に装着する。
【００２３】
その後、図３に示すように、下衣部１Ｂをはいて、上衣部１Ａの下部側を腰ひも２と共に上衣部１Ａの中に入れることにより、下衣部１Ｂを着用者の下半身に装着する。この下衣部１Ｂの装着にあたり、着用者は、図１に示すように本体８における表側合わせ部８ａの上部側を裏側合わせ部８ｂの上部側から引き離して上部側切り開き部１４を開放させた状態で下衣部１Ｂをはき、ウエスト部７が腰部に位置するところで連結具１１のスナップボタン１２を留めて、表側合わせ部８ａ及び裏側合わせ部８ｂの上辺部どうしを連結することにより上部側切り開き部１４を閉止し、図３に示すような状態とする。このように、上部側切り開き部１４を開放させた状態で下衣部１Ｂを装着することにより、その装着が容易となる。
【００２４】
また下衣部１Ｂの装着時は、下衣部１Ｂのウエスト部７がゴム紐１０を介して伸縮可能となっているため、ウエスト部７を着用者の腰部に適度にフィットさせることができる。また、この下衣部１Ｂは、筒状に形成されているから、着用者の腰回りに巻き付ける従来の腰巻き状下衣部のように両端部の裾線を揃えたり、巻き付けによる締め付け具合を調整するような面倒な作業を必要とせず、スカートと同様に下衣部１Ｂをそのままはけばよいから、装着が非常に簡単容易となる。
【００２５】
それから、図４に示すように、帯３を、上衣部１Ａの下部側と下衣部１Ｂの上端部との重ね合わせ部分に巻き付けて、ウエスト部７を含む下衣部１Ｂの上端部を覆い隠す状態とすることにより、着付けを完了する。図５は最終的に帯３を巻き付けた状態を後ろから見た背面図である。尚、帯３の種類及びその結び方は任意とする。
【００２６】
図６は、着用者の背丈によって下衣部１Ｂの丈を調整する方法を図示したものである。即ち、下衣部１Ｂは、一定の丈に形成されるから、その丈に合った背丈の人が着用する場合は、図３に示すようにピッタリと決まるが、背丈が比較的低い人に着用させる場合は、同じ様に着用すると、裾が長引くことになる。従って、その場合は、図６に示すように、下衣部１Ｂを、その裾線（下端縁）が床面から所定高さに位置するように引き上げた状態（下衣部１Ｂの上端縁をＨで示す）から、この下衣部１Ｂの余分に引き上げた上端部側を外向きに下方へ折り返して同図の実線図示のようにし、しかして折り返した下衣部１Ｂの上端部が覆い隠されるように帯３を巻き付ければよい。
【００２７】
図７は、ウエスト部７を含む下衣部１Ｂの上辺部側を平面上に展開した状態の拡大図であるが、この図から分かるように、本体８の上辺部は袋状に形成されていて、この袋状部８ｃには、表側合わせ部８ａ及び裏側合わせ部８ｂの夫々上辺部を除くその中間領域にゴム紐１０が挿通されていて、このゴム紐１０の両端にゴム紐挿入用スリット（図示せず）の外側で径大のボタンからなるストッパー１３，１３が止着され、これによりウエスト部７が伸縮可能となっている。この図７において、１８は本体８の上辺部を袋縫いした縫着部を示す。
【００２８】
以上説明した実施形態の二部式浴衣１では、下衣部１Ｂの製作にあたり、矩形状本体８の左右両端部を所要幅Ｗだけ重ね合わせるようにして、表側合わせ部８ａの先端縁部を、その上部側と下部側とを所要長さずつ残して裏側合わせ部８ｂに縫い付けることにより、全体を筒状に形成したもので、着用した時、表側合わせ部８ａの先端縁１６が、一般的な和服の上前（うわまえ）と同じように下衣部１Ｂの丈全長に亘ってはっきりとした線状に現われるから、上衣部１Ａの衿５の外側線１７と合わせることにより、あたかもワンピースタイプの普通の浴衣を着ているように見せることができ、また下部側切り開き部１５が開いて、図１に示すように、表側合わせ部８ａの下部側が外開き状態になっても、その内側に裏側合わせ部８ｂの下部側が介入するから、着用者の足元部分を隠すことができる。また、表側合わせ部８ａ及び裏側合わせ部８ｂの上辺部どうしを、連結具１１によって、確実に着け離しすることができる。この連結具１１として、スナップボタン１２を使用することにより、表側合わせ部８ａ及び裏側合わせ部８ｂの上辺部どうしの着け離しが一層容易となる上、下衣部１Ｂを洗濯しても、擦り切れるようなことがなく、長期に亘り有効に使用できる。
【００２９】
また、矩形状本体８の上辺部を袋状に形成して表側合わせ部８ａ及び裏側合わせ部８ｂの夫々上辺部を除く袋状部８ｃにゴム紐１０を挿通することにより、ウエスト部７を伸縮可能としているから、伸縮性の良好なウエスト部７を形成することができる。また、表側合わせ部８ａ及び裏側合わせ部８ｂの上辺部どうしを連結具１１を介して着け離し可能としているから、下衣部１Ｂの装着時には表側合わせ部８ａの上辺部を裏側合わせ部８ｂの上辺部対し開放させることによって、下衣部１Ｂの装着が容易となる。
【符号の説明】
【００３０】
１            二部式浴衣
１Ａ          上衣部
１Ｂ          下衣部
２            腰ひも
３            帯
４            上衣部の身頃
５            上衣部の衿
６            上衣部の袖
７            下衣部のウエスト部
８            矩形状本体
８ａ          矩形状本体の表側合わせ部
８ｂ          矩形状本体の裏側合わせ部
９            表側合わせ部の縫着部
１０          ゴム紐
１１          連結具
１２          スナップボタン
１４          上部側切り開き部
１５          下部側切り開き部
１６          表側合わせ部の先端縁
【図１】
0003171074.tif 000003
【図２】
0003171074.tif 000004
【図３】
0003171074.tif 000005
【図４】
0003171074.tif 000006
【図５】
0003171074.tif 000007
【図６】
0003171074.tif 000008
【図７】
0003171074.tif 000009